(57)【要約】【課題】  天秤支え軸を軸心回りに回動させて天秤供給糸量を変更した場合でも、天秤支え軸の軸方向の位置を正規の位置に容易に且つ精度よく位置決めでき、リンク式天秤機構の耐久性を向上できるようにすること。【解決手段】  天秤体１６の下端部は、針棒クランク６の第１支軸６ａに設けられたベアリング６ｃを介して天秤クランク５に回動可能に支持され、天秤支え１７はその後端部において天秤支え軸１８により機枠Ｆに回動可能に支持され、天秤支え１７の前端部は天秤体１６の中段部において回動軸１９により回動可能に連結されている。機枠Ｆに設けた位置決め部材２５の下端部の偏心軸部１８ｂの外周面が天秤支え軸１８の当接端面１８ｇに当接している。位置決め部材２５を軸心回りに回動させることで、偏心軸部１８ｂが偏心運動し、天秤支え軸１８の右方向への移動限界位置が決まる。【選択図】  図２
2007097811.tif 000002
【特許請求の範囲】
【請求項１】
主軸に固着された天秤クランクと、ミシンの機枠に内嵌状に支持された天秤支え軸と、この天秤支え軸に一端部が回動可能に支持された天秤支えと、この天秤支えの他端部と前記天秤クランクとに連結された天秤体とを有するミシンのリンク天秤機構において、
前記天秤支え軸の軸方向への位置を位置決め可能な位置決め部材を設けたことを特徴とするミシンのリンク天秤機構。
【請求項２】
前記位置決め部材は前記天秤支え軸の前記機枠に支持された支持軸部の当接端面に当接可能な偏心軸部を有し、前記位置決め部材の軸心回りの回動により前記偏心軸部の外周面に前記支持軸部の当接端面を当接させて前記天秤支え軸の軸方向位置を位置決めすることを特徴とする請求項１に記載のミシンのリンク天秤機構。
【請求項３】
前記位置決め部材は前記天秤支え軸の前記機枠に支持された支持軸部の当接端面に当接可能なテーパ部を有し、前記位置決め部材の軸方向への移動により前記テーパ部の外周面の一部に前記支持軸部の当接端面を当接させて前記天秤支え軸の軸方向位置を位置決めすることを特徴とする請求項１に記載のミシンのリンク天秤機構。
【請求項４】
前記位置決め部材は前記天秤支え軸の前記機枠に支持された支持軸部の当接端面に軸方向反対側から当接可能な係止面を有し、前記位置決め部材の軸方向への移動により前記係止面に前記支持軸部の当接端面を当接させて前記天秤支え軸の軸方向位置を位置決めすることを特徴とする請求項１に記載のミシンのリンク天秤機構。
【請求項５】
前記天秤支え軸の当接端面は、前記位置決め部材に当接して回転量を１回転以内に規制する規制突起部を有することを特徴とする請求項２又は３に記載のミシンのリンク天秤機構。
【請求項６】
前記天秤支え軸の当接端面は、前記位置決め部材の係止面に形成された凸部に当接して回転量を１回転以内に規制する規制突起部を有することを特徴とする請求項４に記載のミシンのリンク天秤機構。
【発明の詳細な説明】
【技術分野】
【０００１】
本発明は、ミシンのリンク天秤機構に関し、特に４節リンク式の天秤機構における天秤支え軸の軸方向への固定位置を位置決めするようにしたものである。
【背景技術】
【０００２】
従来、天秤体をリンク式の天秤機構で上下揺動させるようにしたリンク天秤機構が種々提案されている。例えば、特許文献１に記載のミシンのリンク天秤機構は、主軸に天秤クランクが固着され、天秤支え軸の第1軸部がミシンの機枠に支持され、天秤支え軸の第2軸部に天秤支えの後端部が回動可能に支持され、天秤主体は天秤支えの前端部と天秤クランクとに夫々連結するように構成されている。
【０００３】
天秤支え軸の第1軸部の外周面に、９０°おきの４つの平坦面が形成されている。そこで、主軸の回転により天秤体が天秤支えを回動中心として上下に揺動するように構成され、天秤支え軸の軸心に対する回転位相を９０°おきに変更することで、天秤主体の糸穴の上下動軌跡の変化に伴う天秤糸量曲線が変更できるので、加工布の布厚に応じた糸量を適宜供給できるようにしてある。
【０００４】
【特許文献１】特開昭５９−２１４４８７号公報  （第２〜３頁、図２）
【発明の開示】
【発明が解決しようとする課題】
【０００５】
前述した特許文献１に記載のミシンのリンク天秤機構においては、天秤糸量曲線を変更する場合、先ず、止めネジを緩めてからドライバで天秤支え軸を９０°単位で回動させた後、止めネジを締め直すに際して、止めネジで締め付ける平坦部は、止めネジの直径よりも大きいので、天秤支え軸の軸方向の位置が決まらない。
【０００６】
そこで、作業者は、天秤支え軸の軸方向の位置を適当に決める場合が多く、この場合には、天秤支えの天秤支え軸で支持された一端部における支持位置と、天秤支えの他端部における天秤主体との連結位置とに位置ズレが生じ易く、天秤支えの一端部や他端部における回動抵抗が増大することから、焼け付きが発生したり、これらの支持部が磨耗すること、等の問題がある。
【０００７】
本発明は、以上のような問題点を解消する為になされたものであり、天秤支え軸を軸心回りに回動させて天秤供給糸量を変更した場合でも、天秤支え軸の軸方向の位置を正規の位置に容易に且つ精度よく位置決めでき、リンク式天秤機構の耐久性を向上できるようにすることを目的とする。
【課題を解決するための手段】
【０００８】
請求項１のミシンのリンク天秤機構は、主軸に固着された天秤クランクと、ミシンの機枠に内嵌状に支持された天秤支え軸と、この天秤支え軸に一端部が回動可能に支持された天秤支えと、この天秤支えの他端部と天秤クランクとに連結された天秤体とを有するミシンのリンク天秤機構において、天秤支え軸の軸方向への位置を位置決め可能な位置決め部材を設けたものである。
【０００９】
位置決め部材により天秤支え軸の軸方向への位置が位置決めされるので、天秤支えの天秤支え軸で支持された一端部における支持位置と、天秤支えの他端部における天秤体との連結位置との位置ズレが解消される。それ故、天秤支えの一端部や他端部において回動抵抗が増大するようなことがなく、天秤体は円滑に上下揺動する。
【００１０】
請求項２のミシンのリンク天秤機構は、請求項１において、前記位置決め部材は天秤支え軸の機枠に支持された支持軸部の当接端面に当接可能な偏心軸部を有し、位置決め部材の軸心回りの回動により偏心軸部の外周面に支持軸部の当接端面を当接させて天秤支え軸の軸方向位置を位置決めするものである。
【００１１】
請求項３のミシンのリンク天秤機構は、請求項１において、前記位置決め部材は天秤支え軸の機枠に支持された支持軸部の当接端面に当接可能なテーパ部を有し、位置決め部材の軸方向への移動によりテーパ部の外周面の一部を支持軸部の当接端面に当接させて天秤支え軸の軸方向位置を位置決めするものである。
【００１２】
請求項４のミシンのリンク天秤機構は、請求項１において、前記位置決め部材は天秤支え軸の機枠に支持された支持軸部の当接端面に軸方向反対側から当接可能な係止面を有し、位置決め部材の軸方向への移動により係止面を支持軸部の当接端面に当接させて天秤支え軸の軸方向位置を位置決めするものである。
【００１３】
請求項５のミシンのリンク天秤機構は、請求項２又は３において、前記天秤支え軸の当接端面は、位置決め部材に当接して回転量を１回転以内に規制する規制突起部を有するものである。
【００１４】
請求項６のミシンのリンク天秤機構は、請求項４において、前記天秤支え軸の当接端面は、位置決め部材の係止面に形成された凸部に当接して回転量を１回転以内に規制する規制突起部を有するものである。
【発明の効果】
【００１５】
請求項１の発明によれば、主軸に固着された天秤クランクと、ミシンの機枠に内嵌状に支持された天秤支え軸と、この天秤支え軸に一端部が回動可能に支持された天秤支えと、この天秤支えの他端部と天秤クランクとに連結された天秤体とを有するミシンのリンク天秤機構において、天秤支え軸の軸方向への位置を位置決め可能な位置決め部材を設けたので、天秤支えの天秤支え軸で支持された一端部における支持位置と、天秤支えの他端部における天秤体との連結位置との位置ズレがなく、天秤支えの一端部や他端部において回動抵抗が増大するようなことがない為、天秤体は円滑に上下揺動でき、リンク式天秤機構の耐久性を向上させることができる。
【００１６】
このように、天秤支え軸の軸方向への位置を位置決め部材で位置決めしておけば、作業者が縫製する加工布の布厚に応じて、天秤支え軸をこの軸心回りに回動させて、天秤体による天秤供給糸量を変更した後に、天秤支え軸を機枠に固定する場合にも、天秤支え軸は位置決め部材により所定の取付け位置に精度よく位置決めされる為、リンク式天秤機構の耐久性を向上させることができる。
【００１７】
請求項２の発明によれば、前記位置決め部材は天秤支え軸の機枠に支持された支持軸部の当接端面に当接可能な偏心軸部を有し、位置決め部材の軸心回りの回動により偏心軸部の外周面に支持軸部の当接端面を当接させて天秤支え軸の軸方向位置を位置決めするので、位置決め部材を軸心回りに回動して、偏心軸部の外周面に支持軸部の当接端面を当接させるだけで、天秤支え軸の軸方向位置を精度よく且つ容易に位置決めすることができる。その他請求項１と同様の効果を奏することができる。
【００１８】
請求項３の発明によれば、前記位置決め部材は天秤支え軸の機枠に支持された支持軸部の当接端面に当接可能なテーパ部を有し、位置決め部材の軸方向への移動によりテーパ部の外周面の一部に支持軸部の当接端面を当接させて天秤支え軸の軸方向位置を位置決めするので、位置決め部材を軸方向に移動させて、テーパ部の外周面の一部に支持軸部の当接端面を当接させるだけで、天秤支え軸の軸方向位置を精度よく且つ容易に位置決めすることができる。その他請求項１と同様の効果を奏することができる。
【００１９】
請求項４の発明によれば、前記位置決め部材は天秤支え軸の機枠に支持された支持軸部の当接端面に軸方向反対側から当接可能な係止面を有し、位置決め部材の軸方向への移動により係止面に支持軸部の当接端面を当接させて天秤支え軸の軸方向位置を位置決めするので、位置決め部材を軸方向に移動させて、係止面をに支持軸部の当接端面を当接させるだけで、天秤支え軸の軸方向位置を精度よく且つ容易に位置決めすることができる。その他請求項１と同様の効果を奏する。
【００２０】
請求項５の発明によれば、前記天秤支え軸の当接端面は、位置決め部材に当接して回転量を１回転以内に規制する規制突起部を有するするので、天秤支え軸の内部に給油の為の灯芯が挿通している場合でも、天秤支え軸は１回転以内しか回動できないので、灯芯が捩じれることがなく、灯芯の捩じれによる破損を確実に防止することができる。その他請求項２又は３と同様の効果を奏することができる。
【００２１】
請求項６の発明によれば、前記天秤支え軸の当接端面は、位置決め部材の係止面に形成された凸部に当接して回転量を１回転以内に規制する規制突起部を有するので、天秤支え軸の内部に給油の為の灯芯が挿通している場合でも、天秤支え軸は１回転以内しか回動できないので、灯芯が捩じれることがなく、灯芯の捩じれによる破損を確実に防止することができる。その他請求項４と同様の効果を奏する。
【発明を実施するための最良の形態】
【００２２】
本実施例のミシンのリンク天秤機構は、天秤体を天秤支えを介して支持する天秤支え軸を機枠に取付ける際の軸方向への取付け位置を、位置決め部材で容易に位置決めできるようにしてある。
【実施例】
【００２３】
図１，図２に示すように、本縫いミシンＭのアーム部１内に主軸２が配設され、機枠Ｆに回転可能に支持されている。アーム部１の頭部において、主軸２の左端部に天秤クランク５が固定されている。この天秤クランク５の一端部には、針棒クランク６の一端部が第１支軸６ａを介して固着され、針棒クランク６の他端部は、第２支軸６ｂに設けられたベアリング７を介して針棒クランクロッド８の上端部に連結されている。
【００２４】
針棒クランクロッド８の下端部に針棒抱き９が連結されている。そこで、機枠Ｆに複数箇所で上下動可能に支持された針棒１０は針棒抱き９に固着されている。それ故、図示しないミシンモータにより主軸２が所定回転方向に回転駆動されると、これら天秤クランク５と針棒クランク６と針棒クランクロッド８及び針棒抱き９を介して針棒１０が上下駆動される。
【００２５】
次に、リンク天秤機構１５について、図１，図２に基づいて簡単に説明する。天秤体１６の下端部は、第１支軸６ａに設けられたベアリング６ｃを介して天秤クランク５に回動可能に支持されるとともに、天秤体１６の上端部に糸穴１６ａが形成されている。一方、湾曲形状の天秤支え１７はその後端部において、後述する天秤支え軸１８により機枠Ｆに回動可能に支持され、天秤支え１７の前端部は天秤体１６の中段部において回動軸１９によりベアリング２０を介して回動可能に連結されている。
【００２６】
それ故、主軸２が所定回転方向に回転駆動されると、天秤体１６の中段部が天秤支え１７で支持されがら、天秤体１６の下端部が天秤クランク５に同期して回転移動するので、天秤体１６は特有の円弧軌跡で上下揺動する。その為、糸穴１６ａによる天秤供給糸量曲線Ｎ１，Ｎ２は、図４に示すようになる。
【００２７】
天秤支え軸１８は円筒状であり、機枠Ｆに左右方向で且つ水平に形成された挿通穴Ｆａに内嵌され、軸方向に移動可能に且つ軸心回りに回動可能に支持されている。天秤支え軸１８は、機枠Ｆに支持される支持軸部１８ａと、この支持軸部１８ａよりも直径が小さく且つ支持軸部１８ａの軸心に対して偏心した軸心を有する偏心軸部１８ｂと、この偏心軸部１８ｂよりも直径が小さい先端軸部１８ｃとを一体的化して構成されている。
【００２８】
但し、天秤支え軸１８の内部に貫通穴１８ｄが形成され、この貫通穴１８ｄに、図示外のオイルタンクからの灯芯２１が挿通され、針棒上下動機構等の複数の給油部（図示略）に延びている。
【００２９】
支持軸部１８ａの外周面には、図２，図３に示すように、２つの第１，第２平坦面１８ｅ，１８ｆが対向状に夫々形成されている。偏心軸部１８ｂの左端部には、止め輪２２と座金２３が夫々装着され、偏心軸部１８ｂの右端部には、セットカラー２４が嵌め込まれている。更に、支持軸部１８ａの右端面である当接端面１８ｇには、貫通穴１８ｄから外方に広がるの扇状の規制突起部１８ｈが形成されている。
【００３０】
そこで、天秤支え軸１８が挿通穴Ｆａに嵌め込まれた状態で、天秤支え１７の後端部が、天秤支え軸１８の座金２３とセットカラー２４との間において、軸心回りに回動可能に支持されている。
【００３１】
天秤支え軸１８の直ぐ上側の機枠Ｆには、１つの軸穴Ｆｂと、２つの第１，第２ビス穴Ｆｃ，Ｆｄとが上下方向向きに夫々形成されている。但し、軸穴Ｆｂは天秤支え軸１８の右端部に対応するように形成され、第１ビス穴Ｆｃは平坦面１８ｅ，１８ｆに対応するように形成され、第２ビス穴Ｆｄは支持軸部１８ａの左端近傍部に形成されている。
【００３２】
図２，図３に示すように、軸穴Ｆｂには、環状の頭部を上端部に有する軸状の位置決め部材２５が嵌め込まれている。位置決め部材２５の下端部には、位置決め部材２５の軸心に対して偏心した軸心を有する偏心ピン軸部２５ａ（これが偏心軸部に相当する）が一体的に形成されている。即ち、上下方向向きの位置決め部材２５を、その軸心回り（鉛直軸回り）に回動させると、偏心ピン軸部２５ａだけが水平面で偏心運動するようになる。
【００３３】
それ故、天秤支え軸１８の当接端面１８ｇを偏心ピン軸部２５ａの外周面に当接させることにより、位置決め部材２５の軸心回りの回動位置に応じて、天秤支え軸１８の右方向への移動限界位置が調節可能に位置決めできるようになっている。
【００３４】
ここで、位置決め部材２５は、その高さ方向中断部において後方から止めネジ２６で締め込まれることで、軸心回りの回り止めと、上下方向への移動が禁止されている。また、天秤支え軸１８は、第１ビス穴Ｆｃに螺合された第１固定ビス２７と、第２ビス穴Ｆｄに螺合された第2固定ビス２8とにより、機枠Ｆに固着されるようになっている。
【００３５】
この場合、第１固定ビス２７は、１対の第１,第２平坦面１８ｅ，１８ｆの何れかに対応させるようにして固定されるので、天秤支え軸１８は軸心回りの１８０°毎の所定の回動位置に位置決めされる。例えば、第１平坦面１８ｅが上側に位置する場合には、図４に示す第１天秤供給糸量Ｎ１が得られ、第２平坦面１８ｆが上側に位置する場合には、図４に示す第２天秤供給糸量Ｎ２が得られる。
【００３６】
ところで、支持軸部１８ａの当接端面１８ｇには、前述したように規制突起部１８ｈが形成されているので、天秤支え軸１８を軸心回りに１回転以上回す場合、その回動途中で規制突起部１８ｈが位置決め部材２５の偏心ピン軸部２５ａに当たる。即ち、天秤支え軸１８の回転量は、これに設けた規制突起部１８ｈと偏心ピン軸部２５ａとの係合により、１回転以内に規制される。
【００３７】
天秤支え軸１８の先端軸部１８ｃの左端面には、図１に示すように、小さな丸い指標２９が記されている。それ故、この指標２９の位置により、現在の天秤支え軸１８の回動位置が容易に分かるので、天秤供給糸量の大きさを容易に認識することができる。
【００３８】
次に、このように構成されたリンク天秤機構１５の作用及び効果について説明する。
先ず、この本縫いミシンＭをメーカの工場において組み立てる際に、作業員は主軸２に天秤クランク５と、針棒クランク６と、針棒クランクロッド８と、天秤体１６と、天秤支え１７及び天秤支え軸１８を組み付ける。この組み付けに際して、天秤体１６が、天秤支え１７を介して天秤支え軸１８に、負荷無しで軽く上下揺動可能なように、天秤支え軸１８の軸方向位置（左右位置）が決められる。但し、この場合、第１，第２平坦面１８ｅ，１８ｆのうちの何れか１つが上側に面している。
【００３９】
次に、第１固定ビス２７と第2固定ビス２8とで、天秤支え軸１８が機枠Ｆに固定される。そして、最終的に、位置決め部材２５が軸穴Ｆｂに嵌め込まれて、偏心ピン軸部２５ａが支持軸部１８ａの当接端面１８ｇに当接するまで、位置決め部材２５が平面視にて時計回り又は反時計回りに回動される。このとき、天秤支え軸１８の右方向への移動限界位置が決まるので、天秤支え軸１８が止めネジ２６で機枠Ｆに固定される。この場合、天秤支え軸１８は、例えば、薄い加工布を縫製するのに適するようになっている。
【００４０】
ところで、作業者が縫製作業を行うに際して、厚い加工布に適した天秤供給糸量を得る為に、天秤支え軸１８の位相を１８０°異ならせる必要がある。そこで、作業者は２つの第１，第2固定ビス２７，２8を緩め、指標２９を見ながら天秤支え軸１８を約１８０°だけ軸心回りに回動させる。
【００４１】
その後、作業者が天秤支え軸１８を右方に押すことにより、支持軸部１８ａの当接端面１８ｇが偏心ピン軸部２５ａに当接する。即ち、このとき、天秤支え軸１８の所定の軸方向位置が、工場で調節された正規の位置に決まる。そこで、この状態で第１，第2固定ビス２７，２8が夫々締め込まれる。それ故、その後の縫製作業中、天秤体１６は何れの支持部においても、負荷無しで軽く上下揺動可能である。
【００４２】
ところで、作業者が天秤支え軸１８の位相を１８０°毎に異ならせるに際して、天秤支え軸１８を、前回と同じ方向に回転させるような場合には、前述したように、規制突起部１８ｈが位置決め部材２５の偏心ピン軸部２５ａに当たり、天秤支え軸１８の回転量が１回転以内に規制されるので、天秤支え軸１８の内部に挿通させた灯芯２１が捩じれることがない。
【００４３】
このように、主軸２に固着された天秤クランク５と、アーム部１の機枠Ｆに内嵌状に支持された天秤支え軸１８と、この天秤支え軸１８に後端部が回動可能に支持された天秤支え１７と、この天秤支え１７の前端部と天秤クランク５とに連結された天秤体１６とを有するリンク天秤機構１５において、天秤支え軸１８の軸方向への位置を位置決め可能な位置決め部材２５を設け、位置決め部材２５は支持軸部１８ａの当接端面１８ｇに当接可能な偏心軸部１８ｂを有し、位置決め部材２５の軸心回りの回動により偏心軸部１８ｂの外周面に支持軸部１８ａの当接端面１８ｇを当接させて天秤支え軸１８の軸方向位置を位置決めするので、位置決め部材２５を軸心回りに回動して、偏心軸部１８ｂの外周面に支持軸部１８ａの当接端面１８ｇを当接させるだけで、天秤支え軸１８を容易に位置決めすることができる。
【００４４】
しかも、天秤支え軸１８の軸方向への位置を位置決め部材２５で位置決めしておけば、作業者が縫製する加工布の布厚に応じて、天秤支え軸１８をこの軸心回りに回動させて、天秤体１６による天秤供給糸量を変更した後に、天秤支え軸１８を機枠Ｆに固定する場合にも、天秤支え軸１８は位置決め部材２５により所定の取付け位置に精度よく位置決めされる為、リンク式天秤機構１５の耐久性を向上させることができる。
【００４５】
更に、天秤支え軸１８の当接端面１８ｇは、位置決め部材２５に当接して回転量を１回転以内に規制する規制突起部１８ｈを有するので、天秤支え軸１８の内部に給油の為の灯芯２１が挿通している場合でも、天秤支え軸１８は１回転以内しか回動できないので、灯芯２１が捩じれることがなく、灯芯２１の捩じれによる破損を確実に防止することができる。
【００４６】
次に、前記実施例を部分的に変更した変更形態について説明する。
１〕図５に示すように、位置決め部材２５Ａの下端部に、下方ほど径が小さくなるテーパ部２５ｂが一体形成され、支持軸部１８ａの当接端面１８ｇには、貫通穴１８ｄよりも外側の部位に規制ピン３１（これが規制突起部に相当する）の一部が打ち込まれている。
【００４７】
この場合、位置決め部材２５Ａを軸方向へ、つまり上下方向に移動させることにより、テーパ部２５ｂも同時に上下動するので、このように上下動したテーパ部２５ｂの外周面の一部に天秤支え軸１８Ａの当接端面１８ｇを当接させることにより、天秤支え軸１８Ａの軸方向位置を調節可能に位置決めすることができる。
【００４８】
しかも、天秤支え軸１８Ａを一定方向に続けて回転させるような場合には、規制ピン３１が位置決め部材２５Ａのテーパ部２５ｂに当たり、天秤支え軸１８Ａの回転量が１回転以内に規制されるので、天秤支え軸１８の内部に挿通させた灯芯２１が捩じれることがない。
【００４９】
２〕図６に示すように、位置決め部材２５Ｂが天秤支え軸１８Ｂと同じ挿通穴Ｆａに、反対方向、つまり右方から嵌め込まれ、支持軸部１８ａの当接端面１８ｇと位置決め部材２５Ｂの左側端面である係止面２５ｃとが当接している。更に、支持軸部１８ａの当接端面１８ｇの一部に扇状の規制突起部１８ｊが形成されると共に、位置決め部材２５Ｂの係止面２５ｃにも扇状の凸部２５ｄが形成されている。それ故、天秤支え軸１８Ｂは、これに設けた規制突起部１８ｊと位置決め部材２５の凸部２５ｄとの当接により、少なくとも半回転以上且つ１回転以内で回動させることができる。
【００５０】
この場合、位置決め部材２５を回動させないように、平坦面２５eに沿って軸方向へ、つまり左右方向に移動させることにより、係止面２５ｃも同時に左右方向に移動するので、このように移動した係止面２５ｃに天秤支え軸１８Ｂの当接端面１８ｇを追従させるようにして当接させることにより、天秤支え軸１８Ｂの軸方向位置を調節可能に位置決めすることができる。
【００５１】
しかも、天秤支え軸１８Ｂを一定方向に続けて回転させるような場合には、規制突起部１８ｊが位置決め部材２５の凸部２５ｄに当接し、天秤支え軸１８の回転量が確実に１回転以内に規制されるので、天秤支え軸１８Ｂの内部に挿通させた灯芯２１が捩じれることがない。
【００５２】
３〕本発明を本縫いミシンＭに適用した場合について説明したが、本縫いミシンＭ以外の各種のミシンのリンク天秤機構に本発明を適用することができる。
【００５３】
４〕本発明は以上説明した実施の形態に限定されるものではなく、当業者でれば、本発明の趣旨を逸脱しない範囲で、前記実施例に種々の変更を付加して実施することができ、本発明はそれらの変更形態をも包含するものである。
【図面の簡単な説明】
【００５４】
【図１】本発明の実施形態に係る本縫いミシンの頭部の内部構造を示す側面図である。
【図２】本発明の実施形態に係る本縫いミシンの頭部の要部縦断部分図である。
【図３】天秤支え軸との位置関係を示す斜視図である。
【図４】天秤供給糸量曲線を示す図である。
【図５】第１変更形態に係る図３相当図である。
【図６】第２変更形態に係る図３相当図である。
【符号の説明】
【００５５】
Ｍ      本縫いミシン
５      天秤クランク
１５    リンク天秤機構
１６    天秤体
１７    天秤支え
１８    天秤支え軸
１８Ａ  天秤支え軸
１８Ｂ  天秤支え軸
１８ａ  支持軸部
１８ｂ  偏心軸部
１８ｇ  当接端面
１８ｈ  規制突起部
２５    位置決め部材
２５Ａ  位置決め部材
２５Ｂ  位置決め部材
２５ｂ  テーパ部
２５ｃ  係止面
２５ｄ  凸部
【図１】
2007097811.tif 000003
【図２】
2007097811.tif 000004
【図３】
2007097811.tif 000005
【図４】
2007097811.tif 000006
【図５】
2007097811.tif 000007
【図６】
2007097811.tif 000008